(57)【要約】【課題】蓋板部分、底板部分を残して胴部を、確実に圧潰でき、圧潰した複数の缶容器をプレス機で小さな塊状に纏める際に、蓋板や底板部分が隣接する他の缶容器に係止連結し、確実、強固な係止連結状態が得られ、大量の缶容器の処理が行い易く、構成簡素で、量産に適し、耐久性に優れ、取扱い簡単で、使い勝手に優れ、低廉で、経済的で、最適な圧潰装置を提供する。【解決手段】基枠Ａと、一対の圧潰用回転体Ｂと、駆動手段とを備え、圧潰用回転体Ｂは、基体１０と、基体１０の外周面に所定間隔で突設する複数の羽根片１１と、回転軸１２とを有し、一対の圧潰用回転体Ｂは、相互の回転軸１２を結ぶ位置に於いて、一方の圧潰用回転体Ｂの隣設する羽根片１１先端縁部分間に、他方の圧潰用回転体Ｂの羽根片１１先端縁部分が臨む状態で回転するよう構成し、羽根片１１夫々の先端縁部分が缶容器Ｃの胴部を圧潰するように構成する。【選択図】　　　　図１
2004090032.tif 000002
【特許請求の範囲】
【請求項１】
使用済み缶容器の圧潰装置であって、上方に缶容器の投入口が設けられている基枠と、基枠内に回転自在に軸架されると共に略平行に配される一対の圧潰用回転体と、一対の圧潰用回転体を所定向きに駆動回転せしめる適宜駆動手段とを備え、圧潰用回転体は、基体と、この基体の外周面に所定間隔で突設される複数の羽根片と、基体の中心に固定される回転軸とを有し、一対の圧潰用回転体は、投入口の下方に配されると共に、相互の回転軸を直線で結ぶような位置に於いて、一方の圧潰用回転体の隣設する羽根片先端縁部分間に、他方の圧潰用回転体の羽根片先端縁部分が臨むような状態で相互に回転するよう構成し、一対の圧潰用回転体の羽根片夫々の先端縁部分で缶容器を胴部を圧潰するように構成したことを特徴とする缶容器用圧潰装置。
【請求項２】
一対の圧潰用回転体は、その基体の外表面で缶容器の蓋板部分及び底板部分を略湾曲状に圧迫変形せしめられるように構成したことを特徴とする請求項１記載の缶容器用圧潰装置。
【発明の詳細な説明】
【０００１】
【発明の属する技術分野】
本発明は、使用済み缶容器を圧潰して、減容できるようにした缶容器用圧潰装置に係り、特に、缶容器の蓋板部分及び底板部分を残して胴部を圧潰できるように工夫した缶容器用圧潰装置に関するものである。
【０００２】
【従来の技術】
従来、この種の缶容器用圧潰装置としては種々のものが提供されており、例えば、一対の圧潰ローラを適宜駆動手段によって回転せしめ、この一対の圧潰ローラの間に缶容器を入れ、ローラの圧力によって缶容器を全体的に偏平状に圧潰できるよう構成されたものが多く提供されている。
【０００３】
【発明が解決しようとする課題】
ところが、前述の如き従来の圧潰手段にあっては、以下のような問題点があった。
すなわち、缶容器一つ一つを全体的に偏平状に圧潰してしまうと、複数の圧潰された缶容器を纏めて大型のプレス機にかけて、これらを小さな塊状に纏める際に、隣接する複数の缶容器相互に於いて、確実且つ強固な係止連結状態が得られ難く、複数の缶容器にバラバラに分かれ易い難点があった。すると、取扱いも不便となり、大量の缶容器のこの後の処理が大変行い難いものとなる問題点があった。
【０００４】
【課題を解決するための手段】
そこで、本発明は、前述の如き難点等を解消できるようにするのは勿論のこと、更に、構成が簡素で、量産に適し、耐久性に優れ、取扱いが簡単で、使い勝手に優れ、低廉で、経済的な缶容器用圧潰装置を提供できるようにすべく創出されたもので、請求項１記載の缶容器用圧潰装置にあっては、使用済み缶容器Ｃの圧潰装置であって、上方に缶容器Ｃの投入口２が設けられている基枠Ａと、基枠Ａ内に回転自在に軸架されると共に略平行に配される一対の圧潰用回転体Ｂと、一対の圧潰用回転体Ｂを所定向きに駆動回転せしめる適宜駆動手段とを備え、圧潰用回転体Ｂは、基体１０と、この基体１０の外周面に所定間隔で突設される複数の羽根片１１と、基体１０の中心に固定される回転軸１２とを有し、一対の圧潰用回転体Ｂは、投入口２の下方に配されると共に、相互の回転軸１２を直線で結ぶような位置に於いて、一方の圧潰用回転体Ｂの隣設する羽根片１１先端縁部分間に、他方の圧潰用回転体Ｂの羽根片１１先端縁部分が臨むような状態で相互に回転するよう構成し、一対の圧潰用回転体Ｂの羽根片１１夫々の先端縁部分で缶容器Ｃの胴部を圧潰するように構成する手段を採用した。
【０００５】
また、請求項２記載の缶容器用圧潰装置にあっては、一対の圧潰用回転体Ｂは、その基体１０の外表面で缶容器Ｃの蓋板部分及び底板部分を略湾曲状に圧迫変形せしめられるように構成する手段を採用した。
【０００６】
【発明の実施の形態】
以下、本発明を図示例に基づいて説明すると、次の通りである。
本発明は、主に、コンビニや、缶容器の収集所等に設置して、使用済み缶容器Ｃを圧潰して、減容できるようにしたもので、特に、缶容器Ｃの蓋板部分及び底板部分を残して（除いて）胴部を、確実に圧潰できるようにした缶容器用圧潰装置である。
【０００７】
具体的には、上方に缶容器Ｃの投入口２が設けられている基枠Ａと、この基枠Ａ内に回転自在に軸架されると共に略平行に配される一対の圧潰用回転体Ｂと、この一対の圧潰用回転体Ｂを所定向きに回転せしめる適宜駆動手段とを備えたものである。
【０００８】
そして、一対の圧潰用回転体Ｂによって、缶容器Ｃを下方に強制的に送給できると共に、缶容器Ｃの蓋板部分及び底板部分を残して胴部を圧潰できるように構成されている。
【０００９】
しかも、圧潰用回転体Ｂは、基体１０と、この基体１０の外周表面に、回転方向に於いて所定間隔で突設される複数の羽根片１１と、基体１０の中心に固定される回転軸１２とを有し、一対の圧潰用回転体Ｂは、投入口２の下方に配されると共に、相互の回転軸１２（の軸心）を直線で結ぶような位置に於いて、一方の圧潰用回転体Ｂの隣設する羽根片１１先端縁部分間に、他方の圧潰用回転体Ｂの羽根片１１先端縁部分が臨むような状態で相互に回転するように構成されている。すなわち、一対の圧潰用回転体Ｂに於いて、羽根片１１相互が干渉せず、一対の圧潰用回転体Ｂの羽根片１１夫々の先端縁部分で缶容器Ｃの胴部を確実に圧潰できるように構成されている。
更に、缶容器Ｃの蓋板部分及び底板部分は、一対の圧潰用回転体Ｂの基体１０外表面によって、元の形がある程度残るような略湾曲状に圧迫変形（楕円状に圧迫変形）せしめられ、その減容が図れるように構成されている。
【００１０】
前記基枠Ａは、例えば、適宜型材等で堅牢に且つ強固に構成されている。そして、基枠Ａ上部には、例えば、円形となる缶容器Ｃの投入口２が開口されており、この投入口２の孔縁部分には、略円筒状の投入案内部１が連設されている。すなわち、投入案内部１と投入口２は、缶容器Ｃを所定の姿勢（蓋板部と底板部が上下に位置するような姿勢）のままで、鉛直下方の一対の圧潰用回転体Ｂの間部分に向って送り出せるように構成されている。
【００１１】
また、基枠Ａの近傍（或いは、基枠Ａ内）には、駆動手段となる駆動モータ５や、駆動モータ５の駆動軸の回転力を一対の圧潰用回転体Ｂに伝達するための歯車、スプロケット、チェーン等の適宜連繋手段が設けられている。尚、安全上の問題や、外観上の体裁等を考慮して、基枠Ａは、その外周部分を適宜ケーシング（例えば、側板、天板）等で覆うようにしても良いし、或いは、適宜駆動手段や、歯車、スプロケット、チェーン等の適宜連繋手段等を含めて基枠Ａ全体を適宜カバー等で覆うように形成しても良い（図示せず）。
【００１２】
前記圧潰用回転体Ｂの基体１０は、適宜金属材（或いは、適宜複合材でも良い）によって構成され、、ボス部を有する左右側板と、円筒状の周胴筒とによって、略中空円柱状に形成されており、一対の圧潰用回転体Ｂの基体１０外表面によって、缶容器Ｃの蓋板部分及び底板部分を、無理なく、確実に略湾曲状に圧迫変形（楕円状に圧迫変形）せしめられるよう構成されている。
しかも、基体１０外表面には、圧潰される缶容器Ｃの寸法や、材質等に応じて、部分的（或いは、全体的でも良い）に略湾曲厚板状のカラーリングを固定したり、部分的に外径を太くしたりすることも可能となっている（図示せず）。
【００１３】
また、圧潰用回転体Ｂの羽根片１１は、適宜金属材（或いは、適宜複合材でも良い）によって構成され、略帯板状に形成されており、図示例では、例えば、８枚の羽根片１１が、基体１０の回転中心に対して放射方向に等間隔に配されると共に、基体１０の周胴筒の外周表面に突設されている。
しかも、羽根片１１の先端縁部分は、例えば、先端がわに行くに従って漸次その厚みが薄くなるようにして、羽根片１１先端縁部分の角部（稜線部）が鈍角となるように構成されており、例えば、アルミ製の缶容器Ｃのように比較的柔らかな材質のものを圧潰する際に、羽根片１１の角部（稜線部）が缶容器Ｃに食い込み難くなるように構成してある。尚、羽根片１１先端縁部分の角部（稜線部）を丸く面取りするように構成しても良い。
【００１４】
更に、圧潰用回転体Ｂの回転軸１２は、適宜金属材（或いは、適宜複合材でも良い）によって構成され、略丸棒状に形成されており、その両端部分は基枠Ａに設けた軸受等によって回転自在となるように支持されている。また、固定されるスプロケットや歯車等を介して、駆動モータ５の駆動回転力が伝達できるように構成されている。しかも、基体１０の左右側板のボス部に貫通ピン等を介して固定されており、回転軸１２の回転力が基体１０に確実に伝達されるように構成してある。
【００１５】
図中１５は、基枠Ａの内側面に固定される圧潰缶落し片を示し、この圧潰缶落し片１５は、例えば、適宜弾性材（金属材や、合成樹脂材や、複合材であっても良い）によって帯板状に形成されており、回転する圧潰用回転体Ｂの下がわ部分に接近して配置されている。すなわち、アルミ缶のように、比較的柔らかくて圧潰時に羽根片１１に纏わり付き易い缶容器Ｃを、下方に確実に且つスムーズに落せるように設けられたものである。
【００１６】
尚、圧潰装置の具体的構成、形状、寸法、基枠Ａの具体的構成、形状、寸法、材質、投入案内部１の具体的構成、形状、寸法、配設位置、投入口２の具体的構成、形状、寸法、配設位置、駆動手段の具体的構成、駆動モータ５の具体的構成、形状、寸法、配設位置、数、圧潰用回転体Ｂの具体的構成、形状、寸法、材質、配設位置、基体１０の具体的構成、形状、寸法、材質、羽根片１１の具体的構成、形状、寸法、材質、数、配設位置、回転軸１２の具体的構成、形状、寸法、材質、配設位置、具体的支持手段等は図示例のもの等に限定されることなく適宜自由に設定、変更できるものである。
【００１７】
【発明の効果】
従って、本発明の請求項１記載の缶容器用圧潰装置は、使用済み缶容器Ｃの圧潰装置であって、上方に缶容器Ｃの投入口２が設けられている基枠Ａと、基枠Ａ内に回転自在に軸架されると共に略平行に配される一対の圧潰用回転体Ｂと、一対の圧潰用回転体Ｂを所定向きに駆動回転せしめる適宜駆動手段とを備え、圧潰用回転体Ｂは、基体１０と、この基体１０の外周面に所定間隔で突設される複数の羽根片１１と、基体１０の中心に固定される回転軸１２とを有し、一対の圧潰用回転体Ｂは、投入口２の下方に配されると共に、相互の回転軸１２を直線で結ぶような位置に於いて、一方の圧潰用回転体Ｂの隣設する羽根片１１先端縁部分間に、他方の圧潰用回転体Ｂの羽根片１１先端縁部分が臨むような状態で相互に回転するよう構成し、一対の圧潰用回転体Ｂの羽根片１１夫々の先端縁部分で缶容器Ｃの胴部を圧潰するように構成したので、使用済み缶容器Ｃを羽根片１１の先端縁部分で確実に圧潰して、減容できるようになる。
【００１８】
特に、缶容器Ｃの蓋板部分及び底板部分を残して（除いて）胴部を、確実に圧潰できるようになる。ひいては、複数の圧潰された缶容器Ｃを纏めて大型のプレス機にかけて、これらを小さな塊状に纏める際に、隣接する複数の缶容器Ｃ相互に於いて、蓋板部分や底板部分が、隣接する他の缶容器Ｃに係止連結されるようになり、確実且つ強固な係止連結状態が得られ、小さな塊状にプレスした後に、複数の缶容器Ｃにバラバラに分かれるような虞れのないものとなる。しかして、取扱いも簡単となり、大量の缶容器Ｃの後の処理も行い易いものとなる。
【００１９】
しかも、装置自体の構成が簡素となり、量産に適し、耐久性に優れ、取扱いが簡単で、使い勝手に優れ、低廉で、経済的で、缶容器Ｃの圧潰処理に最適な装置となる。
【００２０】
また、本発明の請求項２記載の缶容器用圧潰装置は、一対の圧潰用回転体Ｂは、その基体１０の外表面で缶容器Ｃの蓋板部分及び底板部分を略湾曲状に圧迫変形せしめられるように構成したので、一対の圧潰用回転体Ｂの基体１０外表面によって、缶容器Ｃの蓋板部分及び底板部分を、無理なく、確実に略湾曲状に圧迫変形（楕円状に圧迫変形）でき、缶容器Ｃの蓋板部分及び底板部分の減容が確実に図れるようになる。
しかも、缶容器Ｃの蓋板部分及び底板部分を残して（除いて）胴部を、確実に圧潰できるため、複数の圧潰された缶容器Ｃを纏めて大型のプレス機にかけて、これらを小さな塊状に纏める際に、隣接する複数の缶容器Ｃ相互に於いて、蓋板部分や底板部分が、隣接する他の缶容器Ｃに係止連結されるようになり、確実且つ強固な係止連結状態が得られ、小さな塊状にプレスした後に、複数の缶容器Ｃにバラバラに分かれるような虞れのないものとなる。
【図面の簡単な説明】
【図１】本発明の缶容器用圧潰装置を例示する一部切欠概略正面図である。
【図２】本発明の缶容器用圧潰装置を例示する一部を省略した一部切欠概略平面図である。
【符号の説明】
Ａ　　　基枠
１　　　投入案内部　　　　　　　　　　２　　　投入口
５　　　駆動モータ
Ｂ　　　圧潰用回転体
１０　　基体　　　　　　　　　　　　　１１　　羽根片
１２　　回転軸
１５　　圧潰缶落し片
Ｃ　　　缶容器
【図１】
2004090032.tif 000003
【図２】
2004090032.tif 000004